(57)【要約】【課題】映像情報に適した画質調整を行う。【解決手段】実施形態の表示制御装置は、表示制御手段と、選択受付手段と、を備える。表示制御手段は、映像情報としてアニメーションを表示する場合に選択可能な選択候補として、当該映像情報を表示する際の画質の設定を異ならせた複数の選択候補を表示する。選択受付手段は、表示制御手段により表示された複数の選択候補から選択を受け付ける。【選択図】図１
2013228558.tif 000002
【特許請求の範囲】
【請求項１】
映像情報としてアニメーションを表示する場合に選択可能な選択候補として、当該映像情報を表示する際の画質の設定を異ならせた複数の選択候補を表示する表示制御手段と、
前記表示制御手段により表示された前記複数の選択候補から選択を受け付ける選択受付手段と、
を備える表示制御装置。
【請求項２】
前記選択受付手段により選択を受け付けた選択候補に対応する画質設定を行う設定手段を、さらに備える請求項１に記載の表示制御装置。
【請求項３】
前記設定手段は、さらに、前記選択候補毎に異ならせる画質設定として、鮮鋭化処理、ノイズリダクション、輪郭補正、及びγ特性の補正のうちいずれか１つ以上を設定する、
請求項２に記載の表示制御装置。
【請求項４】
前記設定手段は、さらに、前記複数の選択候補のうち、第１の選択候補の選択を受け付けた場合に、第２の選択候補の選択を受け付けた場合と比べて、ノイズリダクション及び輪郭補正のうちいずれか一つ以上強く処理し、前記第２の選択候補の選択を受け付けた場合に、前記第１の選択候補の選択を受け付けた場合と比べて、強い鮮鋭化処理を行う、
請求項３に記載の表示制御装置。
【請求項５】
前記選択受付手段は、前記複数の選択候補として、アナログ放送用に制作されたアニメーション用の選択候補、デジタル放送用に制作されたアニメーション用の選択候補、映画用に制作されたアニメーション用の選択候補のうちいずれか１つ以上を含むこと、
を特徴とする請求項１乃至４のいずれか１つに記載の表示制御装置。
【請求項６】
映像情報としてゲームを表示する場合に選択可能な選択候補として、当該映像情報を表示する際の画質の設定を異ならせた複数の選択候補を表示する表示制御手段と、
前記表示制御手段により表示された前記複数の選択候補から選択を受け付ける選択受付手段と、
を備える表示制御装置。
【請求項７】
表示制御装置で実行される表示制御方法であって、
表示制御手段は、映像情報としてアニメーションを表示する場合に選択可能な選択候補として、当該映像情報を表示する際の画質の設定を異ならせた複数の選択候補を表示する表示制御ステップと、
選択受付手段は、前記表示制御ステップにより表示された前記複数の選択候補から選択を受け付ける選択受付ステップと、
を有する表示制御方法。
【請求項８】
映像情報としてアニメーションを表示する場合に選択可能な選択候補として、当該映像情報を表示する際の画質の設定を異ならせた複数の選択候補を表示する表示制御ステップと、
前記表示制御ステップにより表示された前記複数の選択候補から選択を受け付ける選択受付ステップと、
をコンピュータに実行させるための表示制御プログラム。
【発明の詳細な説明】
【技術分野】
【０００１】
本発明の実施形態は、表示制御装置、表示制御方法、及び表示制御プログラムに関する。
【背景技術】
【０００２】
従来から、番組の映像情報を表示する際に、映像情報の属するジャンルに合わせて画質を設定する技術が提案されている。
【０００３】
そして、視聴者は、自分が視聴する映像情報に対応するコンテンツモードを選択することで、テレビジョン受像端末が、当該映像に適した画質の調整を行うことになる。これにより、視聴者の要求に合わせた画質の調整が可能となる。例えば、視聴者が、アニメ用のモードを選択することで、テレビジョン受像端末が、アニメに適した表示制御を行う。
【先行技術文献】
【特許文献】
【０００４】
【特許文献１】特開２００８−２８８７１号公報
【発明の概要】
【発明が解決しようとする課題】
【０００５】
しかしながら、映像情報には様々な態様がある。例えば、映像情報をアニメに限ったとしても、アナログ放送時代にセル画を用いて作成されたセルアニメーションと、近年、ＣＧを多用してコンピュータ上で作成されたアニメーションと、では画質が異なる。このため、従来、コンテンツモードとして、アニメ用のモードを一つ設けていたが、当該アニメ用のモードのみでは、多様なコンテンツに対応することが難しくなってきた。なお、多様化したコンテンツに対応するのが難しいという状況は、例えばゲームでも生じている。
【０００６】
本発明は、上記に鑑みてなされたものであって、映像情報に適した画質調整を可能とする表示制御装置、表示制御方法、及び表示制御プログラムを提供する。
【課題を解決するための手段】
【０００７】
実施形態の表示制御装置は、表示制御手段と、選択受付手段と、を備える。表示制御手段は、映像情報としてアニメーションを表示する場合に選択可能な選択候補として、当該映像情報を表示する際の画質の設定を異ならせた複数の選択候補を表示する。選択受付手段は、表示制御手段により表示された複数の選択候補から選択を受け付ける。
【図面の簡単な説明】
【０００８】
【図１】図１は、第１の実施形態にかかるデジタルテレビジョン放送受信端末の主要な信号処理系を示すブロック図である。
【図２】図２は、第１の実施形態にかかるデジタルテレビジョン放送受信端末の表示制御部が表示制御するメニュー画面を階層構造で示した図である。
【図３】図３は、第１の実施形態にかかる管理テーブルのテーブル構造を示した図である。
【図４】図４は、第１の実施形態にかかる表示部が表示するクイックメニュー画面（ウィンドウ）の例を示した図である。
【図５】図５は、第１の実施形態にかかる表示部が表示する映像設定メニュー画面の例を示した図である。
【図６】図６は、第１の実施形態にかかる表示部が表示するコンテンツモードメニュー画面の一例を示した図である。
【図７】図７は、第１の実施形態にかかるデジタルテレビジョン放送受信端末における、各メニューで選択候補を受け付ける際の処理の手順を示すフローチャートである。
【図８】図８は、第２の実施形態にかかるデジタルテレビジョン放送受信端末の表示制御部が表示制御するメニュー画面を階層構造で示した図である。
【図９】図９は、第２の実施形態にかかる管理テーブルのテーブル構造を示した図である。
【図１０】図１０は、第２の実施形態にかかる表示部が表示する映像設定メニュー画面の例を示した図である。
【図１１】図１１は、第２の実施形態にかかる表示部が表示するコンテンツモードメニュー画面の一例を示した図である。
【図１２】図１２は、第２の実施形態にかかるデジタルテレビジョン放送受信端末における、各メニューで選択候補を受け付ける際の処理の手順を示すフローチャートである。
【発明を実施するための形態】
【０００９】
（第１の実施形態）
第１の実施形態にかかるデジタルテレビジョン放送受信端末１００のハードウェア構成について説明する。図１は、第１の実施形態にかかるデジタルテレビジョン放送受信端末１００の主要な信号処理系を示すブロック図である。
【００１０】
ＢＳ／ＣＳデジタル放送受信用のアンテナ１５１で受信した衛星デジタルテレビジョン放送信号は、入力端子１０１を介して衛星デジタル放送用のチューナ１０２ａに供給される。
【００１１】
チューナ１０２ａは、制御部１０５からの制御信号により所望のチャネルの放送信号を選局し、この選局された放送信号をＰＳＫ（Ｐｈａｓｅ  Ｓｈｉｆｔ  Ｋｅｙｉｎｇ）復調器１０２ｂに出力する。
【００１２】
ＰＳＫ復調器１０２ｂは、制御部１０５からの制御信号により、チューナ１０２ａで選局された放送信号を復調し、所望の番組を含んだトランスポートストリーム（ＴＳ）を得て、ＴＳ復号器１０２ｃに出力する。
【００１３】
ＴＳ復号器１０２ｃは、制御部１０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部１０６内のＳＴＤバッファ（図示せず）へ出力する。また、ＴＳ復号器１０２ｃは、デジタル放送により送られているセクション情報を信号処理部１０６内のセクション処理部（図示せず）へ出力する。
【００１４】
地上波放送受信用のアンテナ１５２で受信した地上デジタルテレビジョン放送信号は、入力端子１０３を介して地上デジタル放送用のチューナ１０４ａに供給される。
【００１５】
チューナ１０４ａは、制御部１０５からの制御信号により所望のチャネルの放送信号を選局可能とする。チューナ１０４ａは、放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器１０４ｂに出力する。
【００１６】
本実施形態にかかるチューナ１０２ａ及びチューナ１０４ａは、アンテナ１５１又はアンテナ１５２を介して、チャネルの放送信号として、複数の映像情報を提供するマルチビュー配信の放送信号を受信する。なお、マルチビュー配信の放送信号には、複数の映像情報全て含まれている必要はなく、例えば映像情報としては主映像情報のみ含まれ、副映像情報については取得先のアドレス情報のみ埋め込まれていても良い。
【００１７】
ＯＦＤＭ復調器１０４ｂは、制御部１０５からの制御信号により、チューナ１０４ａで選局された放送信号を復調し、所望の番組を含んだトランスポートストリームを得て、ＴＳ復号器１０４ｃに出力する。
【００１８】
ＴＳ復号器１０４ｃは、制御部１０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部１０６内のＳＴＤバッファへ出力する。また、ＴＳ復号器１０４ｃは、デジタル放送により送られているセクション情報を信号処理部１０６内のセクション処理部へ出力する。
【００１９】
信号処理部１０６は、テレビ視聴時には、ＴＳ復号器１０２ｃおよびＴＳ復号器１０４ｃからそれぞれ供給されたデジタルの映像信号及び音声信号に対して、選択的に所定のデジタル信号処理を施し、グラフィック処理部１０７及び音声処理部１０８に出力している。一方、番組録画時には、ＴＳ復号器１０２ｃおよびＴＳ復号器１０４ｃからそれぞれ供給されたデジタルの映像信号及び音声信号に対して、選択的に所定のデジタル信号処理を施した信号を、制御部１０５を介して記憶装置（例えば、ＨＤＤ）１７０に記録している。また、信号処理部１０６は、録画番組再生時には、制御部１０５を介して記憶装置（例えば、ＨＤＤ）１７０から読み出された録画番組のデータに、所定のデジタル信号処理を施し、グラフィック処理部１０７及び音声処理部１０８に出力している。
【００２０】
制御部１０５には、信号処理部１０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。制御部１０５は、これら入力された情報からＥＰＧ，字幕を表示するため画像生成処理を行い、この生成した画像情報をグラフィック処理部１０７へ出力する。
【００２１】
また、この制御部１０５は、番組録画および番組予約録画を制御する機能を有し、番組予約受付時には、外部の表示装置（例えば、デジタルテレビジョン放送受像器）に電子番組ガイド（ＥＰＧ）情報を表示し、操作部１２０またはリモートコントローラ１２１を介した視聴者入力により予約内容を所定の記憶手段に設定する。そして、設定された時刻に予約番組を録画するようチューナ１０２ａ，１０４ａ、ＰＳＫ復調器１０２ｂ、ＯＦＤＭ復調器１０４ｂ、ＴＳ復号器１０２ｃ，１０４ｃおよび信号処理部１０６を制御する。
【００２２】
セクション処理部は、ＴＳ復号器１０２ｃ（１０４ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部１０５へ出力する。
【００２３】
グラフィック処理部１０７は、（１）信号処理部１０６内のＡＶデコーダ（図示せず）から供給されるデジタルの映像信号と、（２）ＯＳＤ（Ｏｎ  Ｓｃｒｅｅｎ  Ｄｉｓｐｌａｙ）信号生成部１０９で生成されるＯＳＤ信号と、（３）データ放送による画像データと、（４）制御部１０５により生成されたＥＰＧ，字幕信号とを合成して映像処理部１１０へ出力する機能を有する。
【００２４】
また、字幕放送による字幕を表示するとき、グラフィック処理部１０７は、制御部１０５からの制御による字幕情報に基づき、映像信号上に字幕情報を重畳する処理を行う。
【００２５】
グラフィック処理部１０７から出力されたデジタルの映像信号は、映像処理部１１０に供給される。この映像処理部１１０は、入力されたデジタルの映像信号を、表示部１１４又は出力端子１１１を介して接続された外部機器で表示可能なフォーマットのアナログ映像信号に変換した後、出力端子１１１又は表示部１１４に出力して映像表示させる。
【００２６】
また、上記音声処理部１０８は、入力されたデジタルの音声信号を、スピーカ１１３で再生可能なフォーマットのアナログ音声信号に変換した後、出力端子１１２を介して接続された外部機器又はスピーカ１１３に出力して音声再生させる。
【００２７】
ここで、このデジタルテレビジョン放送受信端末１００は、上記した各種の受信動作を含むその全ての動作を制御部１０５によって統括的に制御されている。この制御部１０５は、ＣＰＵ（Ｃｅｎｔｒａｌ  Ｐｒｏｃｅｓｓｉｎｇ  Ｕｎｉｔ）等を内蔵しており、操作部１２０からの操作情報を受け、または、リモートコントローラ１２１から送出された操作情報を、受光部１２２を介して受信し、その操作内容が反映されるように各部をそれぞれ制御している。
【００２８】
この場合、制御部１０５は、主として、そのＣＰＵが実行する制御プログラムを格納したＲＯＭ（Ｒｅａｄ  Ｏｎｌｙ  Ｍｅｍｏｒｙ）１０５ａと、当該ＣＰＵに作業エリアを提供するＲＡＭ（Ｒａｎｄｏｍ  Ａｃｃｅｓｓ  Ｍｅｍｏｒｙ）１０５ｂと、各種の設定情報及び制御情報等が格納される不揮発性メモリ１０５ｃとを利用している。
【００２９】
また、この制御部１０５は、カードＩ／Ｆ（Ｉｎｔｅｒｆａｃｅ）１２３を介して、メモリカード１２４が装着可能なカードホルダ１２５に接続されている。これによって、制御部１０５は、カードホルダ１２５に装着されたメモリカード１２４と、カードＩ／Ｆ１２３を介して情報伝送することができる。
【００３０】
さらに、上記制御部１０５は、通信Ｉ／Ｆ１３１を介して第１のＬＡＮ端子１３２に接続されている。これにより、制御部１０５は、第１のＬＡＮ端子１３２に接続されたＬＡＮ対応の機器と、通信Ｉ／Ｆ１３１を介して情報伝送することができる。
【００３１】
また、上記制御部１０５は、ＵＳＢ  Ｉ／Ｆ１３３を介してＵＳＢ端子１３４に接続されている。これにより、制御部１０５は、ＵＳＢ端子１３４に接続された各種機器（例えば、外付けハードディスク装置）と、ＵＳＢ  Ｉ／Ｆ１３３を介して情報伝送することができる。
【００３２】
デジタルテレビジョン放送受信端末１００の制御部１０５は、表示制御アプリケーション１０５ｄを備えている。表示制御アプリケーション１０５ｄは、ソフトウェア構成として、表示制御部１６１と、選択受付部１６２と、設定部１６３と、を備えている。そして、制御部１０５のＣＰＵが、表示制御アプリケーション１０５ｄを読み込むことで、ＲＡＭ１０５ｂ上に、表示制御アプリケーション１５０ｄの各構成（表示制御部１６１、選択受付部１６２、設定部１６３）が実現される。
【００３３】
表示制御アプリケーション１０５ｄは、映像情報に適した画質調整を行うためのアプリケーションとする。本実施形態は、映像情報がアニメーションの場合について説明する。
【００３４】
なお、本実施形態は、メニューが３階層の場合について説明するが、２階層以下又は４階層以上であっても良い。
【００３５】
表示制御部１６１は、映像情報に重畳する各種メニューを表示するための画面情報を生成して、グラフィック処理部１０７を介して、当該各種メニューの表示制御を行う。
【００３６】
選択受付部１６２は、受光部１２２が受信した操作情報に基づいて、各種メニューで表示された選択候補の選択を受け付ける。
【００３７】
図２は、本実施形態にかかるデジタルテレビジョン放送受信端末１００の表示制御部１６１が表示制御するメニュー画面を階層構造で示した図である。本実施形態では、メニュー画面が３階層の例とする。
【００３８】
図２に示す様に、表示制御部１６１が第１階層目のメニューを表示した場合に、選択受付部１６２が、選択候補“映像設定”２０１の選択を受け付ける。この場合に、表示制御部１６１が、第２階層目の映像設定メニューを表示する。
【００３９】
そして、映像設定メニューで、選択受付部１６２が、選択候補“コンテンツモード”２０２の選択を受け付けた場合に、表示制御部１６１は、第３階層目のコンテンツモードメニューを表示する。コンテンツモードメニューでは、映像情報がアニメーションの場合に、当該アニメーションを表示するための選択候補であって、映像情報を表示処理する際の画質設定を異ならせた複数の選択候補を表示する。本実施形態では、選択候補“テレビアニメ”２０３、“レトロアニメ”２０４、及び“劇場アニメ”２０５が、表示される。
【００４０】
そして、選択受付部１６２は、表示制御部１６１により表示された複数の選択候補から選択を受け付ける。図２に示す例では、“テレビアニメ”２０３、“レトロアニメ”２０４、及び“劇場アニメ”２０５のうちいずれか１つの選択を受け付ける。
【００４１】
“テレビアニメ”とは、地上波デジタル放送や、ＢＳデジタル放送で放送されているアニメーションを指しており、放送時に行われたデジタル圧縮に起因するノイズ（モスキートノイズ・ブロックノイズ）を多く含んでいる可能性があるアニメーションとする。なお、“テレビアニメ”は、地上波デジタル放送やＢＳデジタル放送で放送することを前提に作成されたコンテンツであれば、光ディスク媒体に記録して販売することを前提に作成されたコンテンツの場合もあるが、放送されることで上述したノイズが含まれる点で共通する。
【００４２】
“レトロアニメ”とは、セル画等を用いてアナログ放送用に作成されたアニメーション（アナログ）を示している。“レトロアニメ”は、映像資産が古い傾向にあるため、画質劣化によりノイズが盛大に重畳されている可能性があるアニメーションとする。また、“レトロアニメ”は、セル画等で作成されたアニメーションに限らず、輪郭や境界線が明確な線で描かれ、色や影のグラデーションが単純化されたアニメーションであればよい。
【００４３】
また、“劇場アニメ”は、ＢＤ(Blu-ray  Disk)（登録商標）から再生される高画質なアニメを示している。このため、“劇場アニメ”は、“テレビアニメ”や“レトロアニメ”と比べて、細かいテクスチャーやグラデーションを多用している傾向が高く、上述したデジタル圧縮や画質劣化等によるノイズが少ない傾向が強いアニメーションであることが多い。
【００４４】
従来は、コンテンツモードメニュー画面の選択候補として、アニメモードしか存在しなかった。このアニメモードでは、主にセル画で作成されたアニメーションを対象にしていたため、ノイズ低減効果に主眼を置いた画質設定が行われることになり、映像情報によっては映像が甘くなる場合があった。
【００４５】
これに対して、本実施形態では、コンテンツモードメニュー画面において、選択候補として、“テレビアニメ”、“レトロアニメ”、“劇場アニメ”を設けた。そして、“テレビアニメ”、“レトロアニメ”、“劇場アニメ”から映像情報に適した選択候補の選択を受け付けることで、映像情報に対して適切な画質設定が可能となる。これにより、視聴者は、最適な画質設定でアニメを視聴することが可能となる。
【００４６】
設定部１６３は、選択受付部１６２が選択を受け付けた選択候補に対応する画質設定を行う。設定部１６３は、ＲＯＭ１０５ａに記憶された管理テーブル１７１に従って、画質調整するための設定を行う。
【００４７】
図３は、管理テーブル１７１のテーブル構造を示した図である。図３に示す様に、管理テーブル１７１は、選択候補毎に、設定項目である超解像（鮮鋭化処理）、ノイズリダクション、輪郭補正、ダイナミックγを対応付けて記憶している。なお、本実施形態にかかる管理テーブル１７１は画質調整の一例として示したものであり、選択候補毎に異なる画質調整を行っていれば、どのような態様であっても良い。なお、本実施形態では、選択項目として超解像と示したが、鮮鋭化処理と記載しても良い。つまり、超解像は、ナイキスト周波数以上の情報を再現することを示しているが、本実施形態は、ナイキスト周波数以上の情報の再現に制限するものではなく、例えば、単なる鮮鋭化処理でもよい。さらに、設定項目は、上述した項目に限らず、他の処理が含まれていても良い。
【００４８】
図３に示す様に、選択候補毎に、超解像（鮮鋭化処理）、ノイズリダクション、輪郭補正、及びダイナミックγについて、選択候補で示されるアニメに適切な画質調整が行われるように、それぞれ適切なパラメータが設定されている。
【００４９】
そして、設定部１６３は、超解像（鮮鋭化処理）、ノイズリダクション、輪郭補正、及びダイナミックγ（γ特性）について、選択を受け付けた選択候補に対応する画質設定を行う。
【００５０】
例えば、設定部１６３は、選択候補“レトロアニメ”の選択を受け付けた場合に、選択候補“テレビアニメ”又は“劇場アニメ”の選択を受け付けた場合と比べて、ノイズリダクション及び輪郭補正を強く処理し、選択候補“劇場アニメ”の選択を受け付けた場合に、選択候補“テレビアニメ”又は“レトロアニメ”の選択を受け付けた場合と比べて、超解像処理（鮮鋭化処理）を強く行う。次に、具体的な処理について説明する。
【００５１】
“レトロアニメ”の選択を受け付けた場合に、設定部１６３は、ノイズ低減を主眼に置き、ＳＤ（アナログ）放送時代に発生したドット妨害や、クロスカラーノイズ、ランダムノイズを低減するためにクロスカラー・ドット妨害除去回路を動作させる。さらに、設定部１６３は、超解像処理の際に、検出した平坦部のノイズを強調しない設定を行う。さらに、設定部１６３は、輪郭線を鮮明にするためにスルーレイト改善回路（輪郭補正）を動作させる。設定部１６３は、ダイナミックγについて通常の映像情報と同様、コントラスト感のメリハリを効かせた特性になるよう設定する（γ特性とは輝度の入出力特性カーブをいう）。
【００５２】
“テレビアニメ”の選択を受け付けた場合に、設定部１６３は、超解像処理の際に、放送などのＭＰＥＧ圧縮により輪郭線近傍に発生しやすいモスキートノイズを強調しないよう、検出された平坦部についてノイズを抑制した設定を行う。さらに、設定部１６３は、ノイズ除去にはランダムノイズの低減を目的としたノイズリダクションを動作させる。さらに設定部１６３は、輪郭線を鮮明にくっきり再現するためスルーレイト改善回路（輪郭補正）を動作させる。
【００５３】
“劇場アニメ”の選択を受け付けた場合に、設定部１６３は、高画質映像のディテール情報を引き出すことを主眼に置いて設定する。例えば、設定部１６３は、細かなテクスチャーや絵の書き込みによる筆のタッチや背景を再現するために超解像処理を微小信号領域から動作させる。さらに設定部１６３は、ランダムノイズを低減するために残像感の出ないインパルスノイズリダクションを使用し、精細な輪郭線を整えるためにリオーバーシュートレスのスルーレイト改善回路（輪郭補正）を動作させる。
【００５４】
次に、表示制御部１６１が表示制御する画面について説明する。図４は、表示制御部１６１が表示するクイックメニュー画面（ウィンドウ）の例を示した図である。図４に示すクイックメニュー画面４０１は、図２の第１階層目のメニュー画面に相当する。
【００５５】
図４に示すクイックメニュー画面４０１は、リモートコントローラ１２１のメニュー表示ボタンの押下を示す操作情報を選択受付部１６２が受け付けた場合に表示される。
【００５６】
当該クイックメニュー画面４０１で選択候補“映像設定”４０２の選択を受け付けた場合に、表示制御部１６１は、映像設定メニュー画面を表示する。
【００５７】
図５は、表示制御部１６１が表示する映像設定メニュー画面の例を示した図である。図５に示す映像設定メニュー画面５０１は、映像情報を表示する際の画質等を設定するための選択候補が配置されたメニュー画面とする。また、映像設定メニュー画面５０１は、図２の第２階層目のメニュー画面に相当する。
【００５８】
当該映像設定メニュー画面５０１で選択候補“映像メニュー”５０２に“あざやか”又は“標準”が設定されている場合に、選択候補“コンテンツモード”５０３の選択を受け付けた際に、表示制御部１６１は、図６に示すコンテンツメニュー画面を表示する。
【００５９】
図６は、表示制御部１６１が表示するコンテンツモードメニュー画面の一例を示した図である。図６に示すコンテンツメニュー画面６０１では、“オート”、“スポーツ”、“テレビアニメ”６０２、“レトロアニメ”６０３、“劇場アニメ”６０４、“写真”、“オフ”が選択候補として表示される。また、コンテンツメニュー画面６０１は、図２の第３階層目のメニュー画面に相当する。
【００６０】
そして、“テレビアニメ”６０２、“レトロアニメ”６０３、又は“劇場アニメ”６０４の選択を受け付けた場合に、設定部１６３が上述した設定を行う。なお、他の選択候補が選択された場合には、設定部１６３は、当該選択候補に適した設定を行うものとして、説明を省略する。
【００６１】
次に、本実施形態にかかるデジタルテレビジョン放送受信端末１００における、各メニューで選択候補を受け付ける際の処理について説明する。図７は、本実施形態にかかるデジタルテレビジョン放送受信端末１００における上述した処理の手順を示すフローチャートである。
【００６２】
まず、表示制御部１６１が、リモートコントローラ１２１からの操作情報に従って、クイックメニュー画面を表示する（ステップＳ７０１）。クイックメニュー画面は、図４で示した画面とする。
【００６３】
次に、選択受付部１６２が、リモートコントローラ１２１を介して、クイックメニュー画面の選択候補“映像設定”の選択を受け付ける（ステップＳ７０２）。
【００６４】
その後、表示制御部１６１が、映像設定メニュー画面を表示する（ステップＳ７０３）。映像設定メニュー画面は、図５で示した画面とする。
【００６５】
次に、選択受付部１６２が、リモートコントローラ１２１を介して、映像設定メニュー画面の選択候補“コンテンツモード”の選択を受け付ける（ステップＳ７０４）。
【００６６】
その後、表示制御部１６１が、コンテンツモードメニュー画面を表示する（ステップＳ７０５）。コンテンツモードメニュー画面は、図６で示した画面とする。
【００６７】
そして、選択受付部１６２が、選択候補“テレビアニメ”の選択を受け付けたか否かを判定する（ステップＳ７０６）。選択候補“テレビアニメ”の選択を受け付けたと判定した場合に（ステップＳ７０６：Ｙｅｓ）、設定部１６３が、“テレビアニメ”用の画質設定を行う（ステップＳ７０７）。
【００６８】
一方、選択受付部１６２が、選択候補“テレビアニメ”の選択を受け付けなかったと判定した場合に（ステップＳ７０６：Ｎｏ）、選択候補“レトロアニメ”の選択を受け付けたか否かを判定する（ステップＳ７０８）。選択候補“レトロアニメ”の選択を受け付けたと判定した場合に（ステップＳ７０８：Ｙｅｓ）、設定部１６３が、“レトロアニメ”用の画質設定を行う（ステップＳ７０９）。
【００６９】
一方、選択受付部１６２が、選択候補“レトロアニメ”の選択を受け付けなかったと判定した場合に（ステップＳ７０８：Ｎｏ）、選択候補“劇場アニメ”の選択を受け付けたか否かを判定する（ステップＳ７１０）。選択候補“劇場アニメ”の選択を受け付けたと判定した場合に（ステップＳ７１０：Ｙｅｓ）、設定部１６３が、“劇場アニメ”用の画質設定を行う（ステップＳ７１１）。なお、選択候補“劇場アニメ”の選択を受け付けなかったと判定した場合（ステップＳ７１０：Ｎｏ）、特に処理を行わずに終了する。
【００７０】
また、ステップＳ７０７、Ｓ７０９、Ｓ７１１の設定が終了した後、映像処理部１１０が、ステップＳ７０７、Ｓ７０９、Ｓ７１１で行われた設定に従って、映像情報の表示制御を行う（ステップＳ７１２）。
【００７１】
本実施形態では、最適な画質設定を可能とするメニュー画面を提供することで、視聴者が映像情報に応じた設定を行うことができる。これにより、視聴者は、最適な画質でアニメを視聴することが可能となる。このように選択候補の選択で映像情報に応じた画質設定が可能となり、より詳細な画質制御を不要にするため、視聴者の操作負担を軽減できる。
【００７２】
（第２の実施形態）
第１の実施形態では、アニメーションに関する設定を行うためのメニュー画面を表示する例について説明した。しかしながら、設定対象をアニメーションに制限するものではない。第２の実施形態では、ゲームに関する設定を行うためのメニュー画面を表示する例について説明する。なお、デジタルテレビジョン放送受信端末１００の構成は、第１の実施形態と同様として説明を省略する。
【００７３】
図８は、本実施形態にかかるデジタルテレビジョン放送受信端末１００の表示制御部１６１が表示制御するメニュー画面を階層構造で示した図である。本実施形態では、メニュー画面が３階層となる例とする。
【００７４】
図８に示す様に、表示制御部１６１が第１階層目のメニューを表示した場合に、選択受付部１６２が、選択候補“映像設定”２０１の選択を受け付ける。この場合に、表示制御部１６１が、第２階層目の映像設定メニューを表示する。
【００７５】
そして、映像設定メニューで、選択受付部１６２が、選択候補“コンテンツモード”２０２の選択を受け付けた場合に、表示制御部１６１は、第３階層目のコンテンツモードメニューを表示する。コンテンツモードメニューでは、映像情報がゲームの場合に、当該ゲームを表示するための選択候補であって、映像情報を表示処理する際の画質設定を異ならせた複数の選択候補を表示する。本実施形態では、選択候補“ノーマル”８０１、“ＣＧゲーム”８０２、及び“アニメゲーム”８０３が、表示される。
【００７６】
そして、選択受付部１６２は、表示制御部１６１により表示された複数の選択候補から選択を受け付ける。図８に示す例では、“ノーマル”８０１、“ＣＧゲーム”８０２、及び“アニメゲーム”８０３のうちいずれか１つの選択を受け付ける。
【００７７】
“ノーマル”は、従来から適用されているゲームモードとする。“ＣＧゲーム”は、コンピュータグラフィクスによる動画の表示等に重きを置いたゲームとする。“アニメゲーム”は、アニメーションによる動画の表示等に重きを置いたゲームとする。
【００７８】
設定部１６３は、選択受付部１６２が選択を受け付けた選択候補に対応する画質設定を行う。設定部１６３は、ＲＯＭ１０５ａに記憶された管理テーブル１７１に従って、画質調整するための設定を行う。
【００７９】
図９は、管理テーブル１７１のテーブル構造を示した図である。図９に示す様に、管理テーブル１７１は、選択候補毎に、設定項目である超解像（鮮鋭化処理）、ノイズリダクション、輪郭補正、ダイナミックγを対応付けて記憶している。なお、本実施形態にかかる管理テーブル１７１は画質調整の一例として示したものであり、選択候補毎に異なる画質調整を行っていれば、どのような態様であっても良い。
【００８０】
“ノーマル”の選択を受け付けた場合に、設定部１６３は、従来から行われたゲーム用の設定を行う。
【００８１】
“ＣＧゲーム”の選択を受け付けた場合に、設定部１６３は、緻密なディテール情報を引き出し、映像のジャギー（ギザツキ）を抑えながらくっきり鮮明な映像にすることを主眼に置いて設定を行う。例えば、設定部１６３は、主に輪郭のジャギーを抑制した超解像設定と、エッジのスルーレイト改善処理（輪郭補正）と、を動作させる。
【００８２】
“アニメゲーム”の選択を受け付けた場合に、設定部１６３は、第１の実施形態の“テレビアニメ”と同様に、検出された平坦部のノイズを抑制した超解像設定を行うと共に、輪郭線を鮮明にくっきり再現するためにスルーレイト改善回路（輪郭補正）を動作させる。
【００８３】
次に、表示制御部１６１が表示制御する画面について説明する。表示制御部１６１が表示するクイックメニュー画面（ウィンドウ）は、図４に示した第１の実施形態と同様とする。
【００８４】
当該クイックメニュー画面４０１で選択候補“映像設定”４０２の選択を受け付けた場合に、表示制御部１６１は、映像設定メニュー画面を表示する。
【００８５】
図１０は、表示制御部１６１が表示する映像設定メニュー画面の例を示した図である。図１０に示す映像設定メニュー画面１００１は、映像情報を表示する際の画質等を設定するための選択候補が配置されたメニュー画面とする。また、映像設定メニュー画面１００１は、図８の第２階層目のメニュー画面に相当する。
【００８６】
当該映像設定メニュー画面１００１で選択候補“映像メニュー”１００２に“ゲーム”が設定されている場合に、選択候補“コンテンツモード”１００３の選択を受け付けた際に、表示制御部１６１は、図１１に示すコンテンツモードメニュー画面を表示する。
【００８７】
図１１は、表示制御部１６１が表示するコンテンツモードモードメニュー画面の一例を示した図である。図１１に示すコンテンツモードメニュー画面１１０１では、“ノーマル”１１０２、“ＣＧゲーム”１１０３、“アニメゲーム”１１０４が選択候補として表示される。また、コンテンツモードメニュー画面１１０１は、図８の第３階層目のメニュー画面に相当する。
【００８８】
そして、“ノーマル”１１０２、“ＣＧゲーム”１１０３、又は“アニメゲーム”１１０４の選択を受け付けた場合に、設定部１６３が上述した設定を行う。
【００８９】
次に、本実施形態にかかるデジタルテレビジョン放送受信端末１００における、各メニューで選択候補を受け付ける際の処理について説明する。図１２は、本実施形態にかかるデジタルテレビジョン放送受信端末１００における上述した処理の手順を示すフローチャートである。
【００９０】
まず、図７のステップＳ７０１〜Ｓ７０５と処理と同様の手順で、表示制御部１６１が、コンテンツモードメニュー画面の表示まで行う（ステップＳ１２０１〜Ｓ１２０５）。コンテンツモードメニュー画面は、図１１で示した画面とする。
【００９１】
そして、選択受付部１６２が、選択候補“ノーマル”の選択を受け付けたか否かを判定する（ステップＳ１２０６）。選択候補“ノーマル”の選択を受け付けたと判定した場合に（ステップＳ１２０６：Ｙｅｓ）、設定部１６３が、“ノーマル”用の画質設定を行う（ステップＳ１２０７）。
【００９２】
一方、選択受付部１６２が、選択候補“ノーマル”の選択を受け付けなかったと判定した場合に（ステップＳ１２０６：Ｎｏ）、選択候補“ＣＧゲーム”の選択を受け付けたか否かを判定する（ステップＳ１２０８）。選択候補“ＣＧゲーム”の選択を受け付けたと判定した場合に（ステップＳ１２０８：Ｙｅｓ）、設定部１６３が、“ＣＧゲーム”用の画質設定を行う（ステップＳ１２０９）。
【００９３】
一方、選択受付部１６２が、選択候補“ＣＧゲーム”の選択を受け付けなかったと判定した場合に（ステップＳ１２０８：Ｎｏ）、選択候補“アニメゲーム”の選択を受け付けたか否かを判定する（ステップＳ１２１０）。選択候補“アニメゲーム”の選択を受け付けたと判定した場合に（ステップＳ１２１０：Ｙｅｓ）、設定部１６３が、“アニメゲーム”用の画質設定を行う（ステップＳ１２１１）。なお、選択候補“アニメゲーム”の選択を受け付けなかったと判定した場合（ステップＳ１２１０：Ｎｏ）、特に処理を行わずに終了する。
【００９４】
また、ステップＳ１２０７、Ｓ１２０９、Ｓ１２１１の設定が終了した後、映像処理部１１０が、ステップＳ１２０７、Ｓ１２０９、Ｓ１２１１で行われた設定に従って、映像情報の表示制御を行う（ステップＳ１２１２）。
【００９５】
第２の実施形態では、上述した処理を行うことで、コンテンツがゲームの場合でも、第１の実施形態と同様の効果を得ることができる。
【００９６】
以上説明したとおり、第１〜第２の実施形態によれば、映像情報に適した画質調整を行うことができる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１００…デジタルテレビジョン放送受信端末、１０５ｄ…表示制御アプリケーション、１６１…表示制御部、１６２…選択受付部、１６３…設定部、１７１…管理テーブル
【図１】
2013228558.tif 000003
【図２】
2013228558.tif 000004
【図３】
2013228558.tif 000005
【図４】
2013228558.tif 000006
【図５】
2013228558.tif 000007
【図６】
2013228558.tif 000008
【図７】
2013228558.tif 000009
【図８】
2013228558.tif 000010
【図９】
2013228558.tif 000011
【図１０】
2013228558.tif 000012
【図１１】
2013228558.tif 000013
【図１２】
2013228558.tif 000014